【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
第１のパラメータの第１の値と第２のパラメータの第２の値とを設定するための情報を含む上位層信号と、物理下りリンク共用チャネルに関連する参照信号であって、参照信号系列が第３のパラメータを用いて定義されている参照信号とを、基地局装置から受信する受信部を備え、
第１の下りリンク制御情報フォーマットが前記物理下りリンク共用チャネルの送信のスケジューリングに用いられるときは、前記第３のパラメータの第３の値は、物理レイヤセルアイデンティティによって与えられ、
第２の下りリンク制御情報フォーマットが前記物理下りリンク共用チャネルの送信のスケジューリングに用いられるときは、前記第３のパラメータの第３の値は、前記第１のパラメータの第１の値と、前記第２のパラメータの第２の値とのうちの１つによって与えられ、
前記第２の下りリンク制御情報フォーマットは、前記１つを示すのに用いられる下りリンク制御情報を含む、
移動局装置。
【請求項２】
前記第１のパラメータと前記第２のパラメータとに値が設定されていないときは、前記第３のパラメータの第３の値は、前記物理レイヤセルアイデンティティによって与えられる、請求項１に記載の移動局装置。
【請求項３】
前記参照信号は、移動局装置スペシフィック参照信号である、請求項１に記載の移動局装置。
【請求項４】
第１のパラメータの第１の値と第２のパラメータの第２の値とを設定するための情報を含む上位層信号と、物理下りリンク共用チャネルに関連する参照信号であって、参照信号系列が第３のパラメータを用いて定義されている参照信号とを、移動局装置に送信する送信部を備え、
第１の下りリンク制御情報フォーマットが前記物理下りリンク共用チャネルの送信のスケジューリングに用いられるときは、前記第３のパラメータの第３の値は、物理レイヤセルアイデンティティによって与えられ、
第２の下りリンク制御情報フォーマットが前記物理下りリンク共用チャネルの送信のスケジューリングに用いられるときは、前記第３のパラメータの第３の値は、前記第１のパラメータの第１の値と、前記第２のパラメータの第２の値とのうちの１つによって与えられ、
前記第２の下りリンク制御情報フォーマットは、前記１つを示すのに用いられる下りリンク制御情報を含む、
基地局装置。
【請求項５】
前記第１のパラメータと前記第２のパラメータとに値が設定されていないときは、前記第３のパラメータの第３の値は、前記物理レイヤセルアイデンティティによって与えられる、請求項４に記載の基地局装置。
【請求項６】
前記参照信号は、移動局装置スペシフィック参照信号である、請求項４に記載の基地局装置。
【請求項７】
移動局装置のための通信方法であって、
第１のパラメータの第１の値と第２のパラメータの第２の値とを設定するための情報を含む上位層信号を、基地局装置から受信するステップと、
物理下りリンク共用チャネルに関連する参照信号であって、参照信号系列が第３のパラメータを用いて定義されている参照信号と、前記基地局装置から受信するステップとを有し、
第１の下りリンク制御情報フォーマットが前記物理下りリンク共用チャネルの送信のスケジューリングに用いられるときは、前記第３のパラメータの第３の値は、物理レイヤセルアイデンティティによって与えられ、
第２の下りリンク制御情報フォーマットが前記物理下りリンク共用チャネルの送信のスケジューリングに用いられるときは、前記第３のパラメータの第３の値は、前記第１のパラメータの第１の値と、前記第２のパラメータの第２の値とのうちの１つによって与えられ、
前記第２の下りリンク制御情報フォーマットは、前記１つを示すのに用いられる下りリンク制御情報を含む、
通信方法。
【請求項８】
前記第１のパラメータと前記第２のパラメータとに値が設定されていないときは、前記第３のパラメータの第３の値は、前記物理レイヤセルアイデンティティによって与えられる、請求項７に記載の通信方法。
【請求項９】
前記参照信号は、移動局装置スペシフィック参照信号である、請求項７に記載の通信方法。
【請求項１０】
基地局装置のための通信方法であって、
第１のパラメータの第１の値と第２のパラメータの第２の値とを設定するための情報を含む上位層信号を、移動局装置に送信するステップと、
物理下りリンク共用チャネルに関連する参照信号であって、参照信号系列が第３のパラメータを用いて定義されている参照信号と、前記移動局装置に送信するステップとを有し、
第１の下りリンク制御情報フォーマットが前記物理下りリンク共用チャネルの送信のスケジューリングに用いられるときは、前記第３のパラメータの第３の値は、物理レイヤセルアイデンティティによって与えられ、
第２の下りリンク制御情報フォーマットが前記物理下りリンク共用チャネルの送信のスケジューリングに用いられるときは、前記第３のパラメータの第３の値は、前記第１のパラメータの第１の値と、前記第２のパラメータの第２の値とのうちの１つによって与えられ、
前記第２の下りリンク制御情報フォーマットは、前記１つを示すのに用いられる下りリンク制御情報を含む、
通信方法。
【請求項１１】
前記第１のパラメータと前記第２のパラメータとに値が設定されていないときは、前記第３のパラメータの第３の値は、前記物理レイヤセルアイデンティティによって与えられる、請求項１０に記載の通信方法。
【請求項１２】
前記参照信号は、移動局装置スペシフィック参照信号である、請求項１０に記載の通信方法。
【請求項１３】
移動局装置に実装される集積回路であって、
第１のパラメータの第１の値と第２のパラメータの第２の値とを設定するための情報を含む上位層信号と、物理下りリンク共用チャネルに関連する参照信号であって、参照信号系列が第３のパラメータを用いて定義されている参照信号とを、基地局装置から受信する機能を前記移動局装置に実行させ、
第１の下りリンク制御情報フォーマットが前記物理下りリンク共用チャネルの送信のスケジューリングに用いられるときは、前記第３のパラメータの第３の値は、物理レイヤセルアイデンティティによって与えられ、
第２の下りリンク制御情報フォーマットが前記物理下りリンク共用チャネルの送信のスケジューリングに用いられるときは、前記第３のパラメータの第３の値は、前記第１のパラメータの第１の値と、前記第２のパラメータの第２の値とのうちの１つによって与えられ、
前記第２の下りリンク制御情報フォーマットは、前記１つを示すのに用いられる下りリンク制御情報を含む、
集積回路。
【請求項１４】
前記第１のパラメータと前記第２のパラメータとに値が設定されていないときは、前記第３のパラメータの第３の値は、前記物理レイヤセルアイデンティティによって与えられる、請求項１３に記載の集積回路。
【請求項１５】
前記参照信号は、移動局装置スペシフィック参照信号である、請求項１３に記載の集積回路。
【請求項１６】
基地局装置に実装される集積回路であって、
第１のパラメータの第１の値と第２のパラメータの第２の値とを設定するための情報を含む上位層信号と、物理下りリンク共用チャネルに関連する参照信号であって、参照信号系列が第３のパラメータを用いて定義されている参照信号とを、移動局装置に送信する機能を前記移動局装置に実行させ、
第１の下りリンク制御情報フォーマットが前記物理下りリンク共用チャネルの送信のスケジューリングに用いられるときは、前記第３のパラメータの第３の値は、物理レイヤセルアイデンティティによって与えられ、
第２の下りリンク制御情報フォーマットが前記物理下りリンク共用チャネルの送信のスケジューリングに用いられるときは、前記第３のパラメータの第３の値は、前記第１のパラメータの第１の値と、前記第２のパラメータの第２の値とのうちの１つによって与えられ、
前記第２の下りリンク制御情報フォーマットは、前記１つを示すのに用いられる下りリンク制御情報を含む、
集積回路。
【請求項１７】
前記第１のパラメータと前記第２のパラメータとに値が設定されていないときは、前記第３のパラメータの第３の値は、前記物理レイヤセルアイデンティティによって与えられる、請求項１６に記載の集積回路。
【請求項１８】
前記参照信号は、移動局装置スペシフィック参照信号である、請求項１６に記載の集積回路。
【手続補正２】
【補正対象書類名】明細書
【補正対象項目名】発明の名称
【補正方法】変更
【補正の内容】
【発明の名称】移動局装置、基地局装置、通信方法、および集積回路
【手続補正３】
【補正対象書類名】明細書
【補正対象項目名】０００１
【補正方法】変更
【補正の内容】
【０００１】
本発明は、移動局装置、基地局装置、通信方法、および集積回路に関する。
【手続補正４】
【補正対象書類名】明細書
【補正対象項目名】００１１
【補正方法】変更
【補正の内容】
【００１１】
本発明は、上記問題を鑑みてなされたものであり、その目的は、基地局と端末が参照信号に関するパラメータを決定し、効率的に通信することができる移動局装置、基地局装置、通信方法、および集積回路を提供する。